(57)【要約】【課題】  表示内容の表示範囲が極端に小さくなることを抑えつつ、操作キーの大きさを変更可能なタッチパネル入力装置を提供すること。【解決手段】  タッチパネル１への押下が最初に検出されるまでは、操作キーを標準的な大きさで表示し、その後に検出した押下範囲が標準的な大きさの操作キーに予め対応付けられた押下範囲に比べて広い場合に、操作キーを標準的な大きさよりも大きくなるように変更する。【選択図】        図３
2007079729.tif 000002
【特許請求の範囲】
【請求項１】
機器に対する入力操作を行う操作キーを画面に表示する表示制御手段と、
前記画面に配置されるタッチパネルと、
前記タッチパネルへの押下位置を検出する押下検出手段と、
前記押下検出手段の検出した押下位置に対応した機器の動作を制御する機器制御手段と、を備えるタッチパネル入力装置であって、
前記押下検出手段は、前記押下位置とともに、その押下範囲を検出し、
前記表示制御手段は、前記押下検出手段の検出した押下範囲に応じて、前記画面に表示すべき操作キーの大きさを変更する操作キー変更手段を備えることを特徴とするタッチパネル入力装置。
【請求項２】
前記表示制御手段は、前記押下検出手段が最初に検出するまで、前記操作キーを標準的な大きさで表示し、
前記操作キー変更手段は、前記押下検出手段の検出した押下範囲が前記標準的な大きさの操作キーに予め対応付けられた押下範囲に比べて広い場合に、前記操作キーを前記標準的な大きさよりも大きくなるように変更することを特徴とする請求項１記載のタッチパネル入力装置。
【請求項３】
前記操作キーの大きさに対応して、前記タッチパネルの分割数を変更する分割数変更手段を備えることを特徴とする請求項１又は２記載のタッチパネル入力装置。
【請求項４】
前記分割数変更手段は、前記操作キーの大きさが大きくなるのに従って、前記分割数を減少させることを特徴とする請求項３記載のタッチパネル入力装置。
【請求項５】
前記表示制御手段は、ナビゲーション装置に対する入力操作を行う操作キーを表示するものであって、
前記機器制御手段は、前記ナビゲーション装置の動作を制御することを特徴とする請求項１〜４の何れか１項に記載のタッチパネル入力装置。
【発明の詳細な説明】
【技術分野】
【０００１】
本発明は、タッチパネル入力装置に関するものである。
【背景技術】
【０００２】
従来、例えば、特許文献１に開示されているタッチパネル入力装置では、表示画面に表示する操作キーの大きさや、操作キーと操作キーとの間隔等表示内容に応じてタッチパネルの分割数を変更する。
【特許文献１】特開２００２−３２３９５７号公報
【発明の開示】
【発明が解決しようとする課題】
【０００３】
上記特許文献１に記載されているように、表示画面に表示する操作キーが一定の大きさに定められていると、ユーザによっては操作性が低い場合がある。従って、操作キーの大きさは変更可能であることが望ましい。
【０００４】
ところで、ナビゲーション装置等においては、道路地図を背景とし、その背景の上に操作キーを表示することがある。このような場合、例えば、指の太いユーザに合わせて最初から操作キーを大きくして表示すると、操作キーの背後に表示される道路地図の表示範囲が小さくなり、ユーザに対して道路地図の情報を十分に伝えることができなくなる。
【０００５】
本発明は、上記の問題を鑑みてなされたもので、表示内容の表示範囲が極端に小さくなることを抑えつつ、操作キーの大きさを変更可能なタッチパネル入力装置を提供することを目的とする。
【課題を解決するための手段】
【０００６】
上記目的を達成するために、請求項１に記載のタッチパネル入力装置は、
機器に対する入力操作を行う操作キーを画面に表示する表示制御手段と、
画面に配置されるタッチパネルと、
タッチパネルへの押下位置を検出する押下検出手段と、
押下検出手段の検出した押下位置に対応した機器の動作を制御する機器制御手段と、を備えるものであって、
押下検出手段は、押下位置とともに、その押下範囲を検出し、
表示制御手段は、押下検出手段の検出した押下範囲に応じて、画面に表示すべき操作キーの大きさを変更する操作キー変更手段を備えることを特徴とする。
【０００７】
タッチパネルへ押下した指の太さによって、押下したときの範囲（押下範囲）の広さは異なる。そこで、本発明では、押下範囲を検出し、その押下範囲に応じて操作キーの大きさを変更する。これにより、最初から操作キーを大きくして表示する必要がなくなるため、表示内容の表示範囲が極端に小さくなることを抑えつつ、操作キーの大きさを変更可能とすることができる。
【０００８】
請求項２に記載のタッチパネル入力装置によれば、
表示制御手段は、押下検出手段が最初に検出するまで、操作キーを標準的な大きさで表示し、
操作キー変更手段は、押下検出手段の検出した押下範囲が標準的な大きさの操作キーに予め対応付けられた押下範囲に比べて広い場合に、操作キーを標準的な大きさよりも大きくなるように変更することを特徴とする。
【０００９】
これにより、最初は、標準的な大きさで操作キーを表示し、押下検出手段の検出した押下範囲が標準的な大きさの操作に対応付けられた押下範囲に比べて広い場合（言い換えれば、ユーザの指が太い場合）に限って、操作キーを標準的な大きさよりも大きくなるように変更することができる。
【００１０】
請求項３に記載のタッチパネル入力装置は、操作キーの大きさに対応して、タッチパネルの分割数を変更する分割数変更手段を備えることを特徴とする。これにより、操作キーの大きさが変更された場合でも、タッチパネルの押下位置の検出精度を高めることができる。
【００１１】
請求項４に記載のタッチパネル入力装置によれば、分割数変更手段は、操作キーの大きさが大きくなるのに従って、分割数を減少させることを特徴とする。例えば、分割数を変更せずに操作キーの大きさのみを大きくした場合、押下位置によっては、近接する他の操作キーを押下していないにもかかわらず、その操作キーへの押下を誤検出してしまうことがある。従って、操作キーの大きさが大きくなるのに従って、分割数を減少させることで、押下位置を正確に検出することが可能となる。
【００１２】
請求項５に記載のタッチパネル入力装置によれば、表示制御手段は、ナビゲーション装置に対する入力操作を行う操作キーを表示するものであって、機器制御手段は、ナビゲーション装置の動作を制御することを特徴とする。これにより、操作キーへのタッチ操作によって、ナビゲーション装置の動作を制御することができる。
【発明を実施するための最良の形態】
【００１３】
以下、本発明の実施形態について図面を用いて説明する。なお、本実施形態のタッチパネル入力装置は、周知のナビゲーション装置に対する入力操作に用いる場合の例について説明するものであるが、ナビゲーション装置に限らず、各種機器に対する入力操作に用いることができるものである。
【００１４】
図１に、ナビゲーション装置の全体構成を示す。このナビゲーション装置は、車両に搭載されるもので、主として、タッチパネル１、表示装置２、及びナビＥＣＵ３によって構成される。タッチパネル１は、一方の面が表示装置２の画面に対向して配置され、他方の面から画面の表示内容の読み取りができるものである。このタッチパネル１は、例えば、特開２００２−３２３９５７号公報に記載されたタッチパネルのように、上層抵抗膜と下層抵抗膜とが積層された構成となっており、図示しない電圧印加装置によって、上層抵抗膜にはＸ方向（横方向）、下層抵抗膜にはＹ方向（縦方向）に電圧を、それぞれ交互に印加される。
【００１５】
そして、このタッチパネル１の任意の箇所を押下すると、まず上層抵抗膜に電圧が印加されるタイミングでこの上層抵抗膜のＸ方向で抵抗分割された電圧信号Ｖxoutが下層抵抗膜から導出される。続いて、下層抵抗膜に電圧が印加されるタイミングでこの下層抵抗膜のＹ方向で抵抗分割された電圧信号Ｖyoutが上層抵抗膜から導出される。
【００１６】
このように、各抵抗膜から導出される電圧信号Ｖxout、Ｖyoutがそれぞれタッチパネル１に対するＸ方向、Ｙ方向の押下位置と対応し、これら各電圧値をＡ／Ｄ変換してＸＹ座標に換算することでタッチパネル１上における押下位置を示す座標が検出される。
【００１７】
また、このタッチパネルは、所定数に分割してタッチパネル１に印加される電圧を表示装置２の押下位置に応じて割り当てて出力することが可能なものであり、この出力される電圧信号Ｖxout、Ｖyoutから、タッチパネル１への押下範囲（例えば、何分割に相当するか）が検出可能となる。
【００１８】
表示装置２は、例えば、液晶画面等で構成されるものであり、車両の運転者から視認し易い位置（例えば、インストルメントパネル付近）に配置される。表示装置２の画面には、例えば、図２に示すように、道路地図とともに、ナビゲーション装置に対する入力操作を行う各種の操作キー（図中の一点鎖線内）が表示される。ユーザは、この操作キーへのタッチ操作によって、ナビゲーション装置の動作を制御することができる。
【００１９】
ナビＥＣＵ３は、通常のコンピュータとして構成されており、内部には周辺のＣＰＵ、ＲＯＭ、ＲＡＭ、Ｉ／Ｏ及びこれらの構成を接続するバスライン（何れも図示せず）が備えられている。ナビＥＣＵ３は、表示装置２を介してタッチパネル１からの電圧信号Ｖxout、Ｖyoutからタッチパネル１への押下位置と押下範囲を検出し、押下位置に対応する操作キーを把握して、その操作キーに応じたナビゲーション装置の各種機能の実行を制御する。この機能としては、例えば、道路地図縮尺変更機能、メニュー表示選択機能、目的地設定機能、経路探索実行機能、経路案内開始機能、現在位置修正機能、表示画面変更機能、音量調整機能等がある。
【００２０】
次に、本実施形態のナビゲーション装置の特徴部分について説明する。このナビゲーション装置は、タッチパネル１への押下位置とともに検出した押下範囲に応じて、ナビゲーション装置に対する入力操作を行う操作キーの大きさを変更する。具体的には、タッチパネル１への押下が最初に検出されるまでは、操作キーを標準的な大きさ（例えば、図２に示した操作キーの大きさ）で表示し、その後に検出した押下範囲が標準的な大きさの操作キーに予め対応付けられた押下範囲に比べて広い場合に、図３に示すように、操作キーを標準的な大きさよりも大きくなるように変更する。
【００２１】
これにより、最初は、標準的な大きさで操作キーを表示し、その後に検出した押下範囲が標準的な大きさの操作に対応付けられた押下範囲に比べて広い場合（言い換えれば、ユーザの指が太い場合）に限って、操作キーを標準的な大きさよりも大きくなるように変更することができる。その結果、最初から操作キーを大きくして表示する必要がなくなるため、表示内容の表示範囲が極端に小さくなることを抑えつつ、操作キーの大きさを変更可能とすることができる。
【００２２】
次に、ナビゲーション装置の動作について、図４に示すフローチャートを用いて説明する。同図に示すステップＳ１０では、ナビＥＣＵ３において、画面表示のための表示信号を生成し、その生成した表示信号を表示装置２へ出力する。ステップＳ２０では、表示装置２は、ナビＥＣＵ３から出力された表示信号を入力して画面に表示する。これにより、図２に示す道路地図等が画面に表示されるようになる。
【００２３】
ステップＳ３０では、タッチパネル１の押下位置及び押下範囲の検出を開始する。ステップＳ４０では、タッチパネル１の押下を検出したか、すなわち、タッチパネル１から出力される電圧信号Ｖxout、Ｖyoutを検出したかどうかを判定する。ここで、肯定判定される場合にはステップＳ５０へ処理を進め、否定判定される場合にはステップＳ３０へ処理を移行し、タッチパネル１の押下位置及び押下範囲の検出を継続する。
【００２４】
ステップＳ５０では、押下位置に対応したナビゲーション装置の機能を実行する。ステップＳ６０では、出力される電圧信号Ｖxout、Ｖyoutから、タッチパネル１への押下範囲（例えば、何分割に相当するか）を検出する。そして、検出した押下範囲が標準的な大きさの操作キーに予め対応付けられた押下範囲に比べて広い場合には、操作キーを標準的な大きさよりも大きくなるよう変更することに決定し、一方、検出した押下範囲が標準的な大きさの操作キーに予め対応付けられた押下範囲と略同じ広さ、或いは、それに比べて狭い場合には、操作キーを標準的な大きさに決定する。そして、ステップＳ７０では、ステップＳ１０にて生成する表示信号に、ステップＳ６０にて決定した操作キーの大きさを反映させ、上述したＳ１０からの処理を繰り返し行う。
【００２５】
以上、本発明の好ましい実施形態について説明したが、本発明は上述した実施形態に何ら制限されることなく、本発明の主旨を逸脱しない範囲において、種々変形して実施することができる。
【００２６】
例えば、特開２００２−３２３９５７号公報にて記載されているように、例えば、分割数を変更せずに操作キーの大きさのみを大きくした場合、押下位置によっては、近接する他の操作キーを押下していないにもかかわらず、その操作キーへの押下を誤検出してしまうことがある。
【００２７】
そこで、図４に示したステップＳ６０において決定された操作キーの大きさに対応して、タッチパネル１の分割数を変更するようにしてもよい。例えば、ステップＳ６０において、操作キーを標準的な大きさよりも大きくなるよう変更することに決定された場合には、分割数を減少させるようにするとよい。このように、操作キーの大きさが大きくなるのに従って、分割数を減少させることで、タッチパネル１の押下位置を正確に検出することが可能となる。
【図面の簡単な説明】
【００２８】
【図１】ナビゲーション装置の全体構成を示すブロック図である。
【図２】標準の操作キーの表示例を示した図である。
【図３】標準よりも大きい操作キーの表示例を示した図である。
【図４】ナビゲーション装置の動作の流れを示すフローチャートである。
【符号の説明】
【００２９】
１  タッチパネル
２  表示装置
３  ナビＥＣＵ
【図１】
2007079729.tif 000003
【図２】
2007079729.tif 000004
【図３】
2007079729.tif 000005
【図４】
2007079729.tif 000006